(57)【要約】【課題】キャリア信号が重畳された信号を受信する外部装置からリモコン信号を受信する場合に、リモコン信号に応じた処理が行なうことができなくなる可能性を低減する。【解決手段】本発明の受信装置は、キャリア信号が重畳されたリモコン信号を受信し、前記キャリア信号を含む前記リモコン信号を出力する外部装置、もしくは、前記キャリア信号が重畳されたリモコン信号を受信し、前記キャリア信号を含まない前記リモコン信号を出力する外部装置と接続され、該外部装置から、前記キャリア信号を含む前記リモコン信号、もしくは、前記キャリア信号を含まない前記リモコン信号を受信する受信部と、前記受信部の受信信号から前記キャリア信号に相当する信号成分を除去した信号を出力する除去部と、前記受信部の受信信号と前記除去部の出力信号との論理和を演算し、演算結果を出力する演算部と、を有する。【選択図】図７
2015126324.tif 000002
【特許請求の範囲】
【請求項１】
キャリア信号が重畳されたリモコン信号を受信し、前記キャリア信号を含む前記リモコン信号を出力する外部装置、もしくは、前記キャリア信号が重畳されたリモコン信号を受信し、前記キャリア信号を含まない前記リモコン信号を出力する外部装置と接続され、該外部装置から、前記キャリア信号を含む前記リモコン信号、もしくは、前記キャリア信号を含まない前記リモコン信号を受信する受信部と、
前記受信部の受信信号から前記キャリア信号に相当する信号成分を除去した信号を出力する除去部と、
前記受信部の受信信号と前記除去部の出力信号との論理和を演算し、演算結果を出力する演算部と、を有することを特徴とする受信装置。
【請求項２】
請求項１記載の受信装置において、
前記除去部は、前記キャリア信号の論理レベルの変化をトリガとして、所定のパルス幅の信号を出力することを特徴とする受信装置。
【請求項３】
請求項２記載の受信装置において、
前記除去部が出力する信号のパルス幅は、前記キャリア信号の波長よりも長いことを特徴とする受信装置。
【請求項４】
キャリア信号が重畳されたリモコン信号を受信し、前記キャリア信号を含む前記リモコン信号を出力する外部装置、もしくは、前記キャリア信号が重畳されたリモコン信号を受信し、前記キャリア信号を含まない前記リモコン信号を出力する外部装置と接続され、該外部装置から、前記キャリア信号を含む前記リモコン信号、もしくは、前記キャリア信号を含まない前記リモコン信号を受信する受信装置における波形整形方法であって、
前記外部装置から前記リモコン信号を受信し、
前記受信信号から前記キャリア信号に相当する信号成分を除去し、
前記受信信号と前記キャリア信号に相当する信号成分の除去後の信号との論理和を演算し、演算結果を出力することを特徴とする波形成形方法。
【請求項５】
請求項１から３のいずれか１項に記載の受信装置と、
前記受信装置から出力されたリモコン信号に応じた処理を行う信号処理部と、を備えることを特徴とする電子機器。
【請求項６】
請求項５記載の電子機器において、
前記信号処理部は、前記キャリア信号が重畳された期間に対応する期間の長さと前記キャリア信号が重畳されていない期間に対応する期間の長さとに基づいて前記リモコン信号に含まれる情報を判定することを特徴とする電子機器。
【請求項７】
請求項５または６記載の電子機器において、
前記電子機器は、表示装置であることを特徴とする電子機器。
【発明の詳細な説明】
【技術分野】
【０００１】
本発明は、受信装置、波形整形方法、および、電子機器に関する。
【背景技術】
【０００２】
プロジェクタなどの電子機器の中には、操作内容を示すリモコン信号をリモートコントローラから受信する受信部を備え、受信したリモコン信号に示される操作内容に応じた処理を行うものがある（特許文献１（特開２０１２−１９４３２５号公報）参照）。
【０００３】
また、近年、ＬＡＮ（Ｌｏｃａｌ  Ａｒｅａ  Ｎｅｔｗｏｒｋ）ケーブルを介して接続されたトランスミッタ装置とレシーバ装置との間で、映像信号／音声信号の送受信や電力供給が可能な、ＨＤＢａｓｅＴ（登録商標）と称される伝送規格に準拠した電子機器も開発されている。
【０００４】
ＨＤＢａｓｅＴに準拠した電子機器は、レシーバ装置を備え、トランスミッタ装置からＬＡＮケーブルを介して送信されてきた映像信号／音声信号をレシーバ装置にて受信し、受信した映像信号／音声信号を再生する。
【０００５】
また、トランスミッタ装置は、リモコン信号を受信する受信部を備えており、受信部にてリモコン信号を受信すると、そのリモコン信号をレシーバ装置に送信する。ＨＤＢａｓｅＴに準拠した電子機器は、レシーバ装置にてリモコン信号を受信し、受信したリモコン信号に応じた処理を、ＣＰＵ（Ｃｅｎｔｒａｌ  Ｐｒｏｃｅｓｓｉｎｇ  Ｕｎｉｔ）などの信号処理部で行う。
【先行技術文献】
【特許文献】
【０００６】
【特許文献１】特開２０１２−１９４３２５号公報
【発明の開示】
【発明が解決しようとする課題】
【０００７】
リモコン信号は、所定の周波数のキャリア信号を用いてエンコードされた信号であり、キャリア信号が重畳された信号である。そのため、リモコン信号に応じた処理を行うためには、キャリア信号を除去する必要がある。リモコン信号に重畳されたキャリア信号を除去することで、そのリモコン信号から情報を復号（デコード）することができる。
【０００８】
電子機器が直接、リモコン信号を受信する場合、受信部と信号処理部との間に、キャリア信号を除去するためのフィルタを設けておき、受信部で受信したリモコン信号からフィルタを用いてキャリア信号を除去することができる。
【０００９】
一方、ＨＤＢａｓｅＴでは、現状、トランスミッタ装置が、リモコン信号からキャリア信号を除去してレシーバ装置に送信するか、キャリア信号が重畳されたままのリモコン信号をレシーバ装置に送信するかが、トランスミッタ装置の製造業者ごと、あるいは、機種ごとに異なっている。
【００１０】
そのため、電子機器には、接続されるトランスミッタ装置の種類に応じて、キャリア信号が除去されたリモコン信号あるいはキャリア信号が重畳されたリモコン信号が入力されることになる。このトランスミッタ装置から入力されるリモコン信号の違いのために、電子機器側でリモコン信号に応じた処理を行なうことができないことがあるという問題がある。
【００１１】
例えば、キャリア信号を除去するためのフィルタを備えない電子機器に、キャリア信号が重畳されたリモコン信号を送信するトランスミッタ装置が接続される場合を考える。この場合、電子機器は、トランスミッタ装置から受信したリモコン信号に重畳されたキャリア信号を除去することができない。
【００１２】
また、キャリア信号を除去するためのフィルタを備える電子機器に、キャリア信号が除去されたリモコン信号を送信するトランスミッタ装置が接続される場合を考える。この場合、電子機器側では、トランスミッタ装置から受信したリモコン信号をフィルタに通すことで、リモコン信号の波形が消失してしまう。
【００１３】
本発明の目的は、キャリア信号が重畳された信号を受信する外部装置からリモコン信号を受信する場合に、リモコン信号に応じた処理が行うことができなくなる可能性を低減する受信装置、波形整形方法、および、電子機器を提供することにある。
【課題を解決するための手段】
【００１４】
上記目的を達成するために本発明の受信装置は、
キャリア信号が重畳されたリモコン信号を受信し、前記キャリア信号を含む前記リモコン信号を出力する外部装置、もしくは、前記キャリア信号が重畳されたリモコン信号を受信し、前記キャリア信号を含まない前記リモコン信号を出力する外部装置と接続され、該外部装置から、前記キャリア信号を含む前記リモコン信号、もしくは、前記キャリア信号を含まない前記リモコン信号を受信する受信部と、
前記受信部の受信信号から前記キャリア信号に相当する信号成分を除去した信号を出力する除去部と、
前記受信部の受信信号と前記除去部の出力信号との論理和を演算し、演算結果を出力する演算部と、を有する。
【００１５】
上記目的を達成するために本発明の波形整形方法は、
キャリア信号が重畳されたリモコン信号を受信し、前記キャリア信号を含む前記リモコン信号を出力する外部装置、もしくは、前記キャリア信号が重畳されたリモコン信号を受信し、前記キャリア信号を含まない前記リモコン信号を出力する外部装置と接続され、該外部装置から、前記キャリア信号を含む前記リモコン信号、もしくは、前記キャリア信号を含まない前記リモコン信号を受信する受信装置における波形整形方法であって、
前記外部装置から前記リモコン信号を受信し、
前記受信信号から前記キャリア信号に相当する信号成分を除去し、
前記受信信号と前記キャリア信号に相当する信号成分の除去後の信号との論理和を演算し、演算結果を出力する。
【００１６】
上記目的を達成するために本発明の電子機器は、
上述した受信装置と、
前記受信装置から出力されたリモコン信号に応じた処理を行う信号処理部と、を備える。
【発明の効果】
【００１７】
本発明によれば、キャリア信号が重畳された信号を受信する外部装置からリモコン信号を受信する場合に、リモコン信号に応じた処理を行なうことができなくなる可能性を低減することができる。
【図面の簡単な説明】
【００１８】
【図１】本発明の一実施形態の伝送システムの概略構成を示す図である。
【図２】リモコン信号の構成を示す図である。
【図３】キャリア信号の波形例を示す図である。
【図４】図１に示す伝送システムにおけるリモコン信号に関連する構成を抜粋した図である。
【図５】図４に示す受信部の構成の一例を示す図である。
【図６】図４に示す受信部の構成の他の一例を示す図である。
【図７】本発明に係るレシーバ装置の構成を示すブロック図である。
【図８】図７に示す波形整形回路の回路構成例を示す図である。
【図９】図８に示す、Ａ，Ｂ，Ｃ点の波形の一例を示す図である。
【図１０】図８に示す、Ａ，Ｂ，Ｃ点の波形の一例を示す図である。
【発明を実施するための形態】
【００１９】
以下に、本発明を実施するための形態について図面を参照して説明する。
【００２０】
図１は、本発明の一実施形態の伝送システム１の概略構成を示す図である。なお、以下では、伝送システム１は、ＨＤＢａｓｅＴに準拠したシステムである場合を例として説明する。
【００２１】
図１に示す伝送システム１は、トランスミッタ装置１０と、プロジェクタやモニタなどの電子機器２に搭載されたレシーバ装置２０とを備える。トランスミッタ装置１０は外部装置の一例であり、レシーバ装置２０は受信装置の一例である。プロジェクタやモニタは表示装置の一例である。
【００２２】
トランスミッタ装置１０は、トランスミッタＩＣ（Ｉｎｔｅｇｒａｔｅｄ  Ｃｉｒｃｕｉｔ）１１を有する。
【００２３】
トランスミッタＩＣ１１は、信号源（不図示）から出力された映像信号／音声信号などを入力とする。なお、信号源としては、ＤＶＤ（登録商標）（Ｄｉｇｉｔａｌ  Ｖｅｒｓａｔｉｌｅ  Ｄｉｓｃ）、ＨＤ−ＤＶＤ（登録商標）（Ｈｉｇｈ  Ｄｅｆｉｎｉｔｉｏｎ−ＤＶＤ）、Ｂｌｕ−ｒａｙ（登録商標）などの記憶媒体に記憶された映像信号／音声信号を読み取る再生装置（不図示）などがある。この場合、例えば、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）に準拠した方式に従って、再生装置が記憶媒体から読み取った映像信号／音声信号がトランスミッタ装置１０に入力される。また、トランスミッタ装置１０がＤＶＤ、ＨＤ−ＤＶＤ、Ｂｌｕ−ｒａｙなどの記憶媒体を読み取る機能を有する場合には、これらの記憶媒体を信号源としてもよい。
【００２４】
また、トランスミッタＩＣ１１は、パーソナルコンピュータなどの制御装置（不図示）から出力されたＥＴＨＥＲＮＥＴ（登録商標）信号およびＲＳ−２３２Ｃ（Ｒｅｃｏｍｍｅｎｄｅｄ  Ｓｔａｎｄａｒｄ  ２３２Ｃ）信号などを入力とする。また、トランスミッタＩＣ１１は、ＲＳ−２３２Ｃ信号が制御装置から入力されると、その信号に対する応答を示すＲＳ−２３２Ｃ信号を制御装置に出力する。
【００２５】
なお、ＥＴＨＥＲＮＥＴ信号は、トランスミッタ装置１０に接続された制御装置と、電子機器２内の、電子機器２の全体の動作を制御するメインＩＣ２２との間で、ＬＡＮを介した通信を可能とするための信号である。また、ＲＳ−２３２Ｃは、トランスミッタ装置１０に接続された制御装置が電子機器２を制御するための制御信号である。
【００２６】
また、トランスミッタＩＣ１１は、図１においては不図示のリモートコントローラから出力された、電子機器２に対する操作内容を示すリモコン信号を入力とする。
【００２７】
トランスミッタＩＣ１１は、入力された映像信号／音声信号、ＥＴＨＥＲＮＥＴ信号、ＲＳ−２３２Ｃ信号およびリモコン信号を、ＬＡＮケーブル３を介して送信可能な形式に変調してレシーバ装置２０に送信する。
【００２８】
レシーバ装置２０は、レシーバＩＣ２１を有する。
【００２９】
レシーバＩＣ２１は、トランスミッタ装置１０の送信信号を受信し、受信した信号（受信信号）を復調して、映像信号／音声信号、ＥＴＨＥＲＮＥＴ信号、ＲＳ−２３２Ｃ信号およびリモコン信号を取得し、これらの信号をメインＩＣ２２に出力する。
【００３０】
メインＩＣ２２は、レシーバ装置２０から出力された信号に応じて、所定の処理を行う。例えば、メインＩＣ２２は、レシーバ装置２０から出力された映像信号／音声信号を再生（映像信号に示される映像を表示、音声信号に示される音声を出力）する。また、メインＩＣ２２は、レシーバ装置２０から出力されたＥＴＨＥＲＮＥＴ信号に従い、トランスミッタ装置１０に接続された制御装置との間で、ＬＡＮを介した通信を行う。また、メインＩＣ２２は、レシーバ装置２０から出力されたＲＳ−２３２Ｃ信号あるいはリモコン信号に応じた処理を行う。
【００３１】
なお、電子機器２にもリモコン信号を受信する受信部が設けられている場合がある。この場合、例えば、電子機器２に設けられた受信部がリモコン信号を受信すると、メインＩＣ２２は、レシーバ装置２０にリモコン信号を出力し、レシーバ装置２０は、そのリモコン信号をトランスミッタ装置１０に送信する。トランスミッタ装置１０は、レシーバ装置２０から送信されてきたリモコン信号を受信すると、そのリモコン信号を制御装置に出力する。このように、リモコン信号は、電子機器２とトランスミッタ装置１０に接続された制御装置との間で双方向に送受信されてもよい。
【００３２】
上述したように、トランスミッタ装置１０からレシーバ装置２０には、映像信号／音声信号、ＥＴＨＥＲＮＥＴ信号、ＲＳ−２３２Ｃ信号およびリモコン信号などの種々の信号が送受信される。以下では、トランスミッタ装置１０からレシーバ装置２０に向かって送信されるリモコン信号に関連する構成について、より詳細に説明する。
【００３３】
まず、リモコン信号の構成について説明する。
【００３４】
図２は、リモコン信号の構成の一例を示す図である。
【００３５】
図２に示すように、リモコン信号の１フレーム（１つの操作内容に対応する情報を送信するフレーム）のフレーム長は、１０８ｍｓである。
【００３６】
リモコン信号のフレームの先頭には、リーダー部が配置される。
【００３７】
リーダー部は、リーダーコードまたはリピートコードを含む。
【００３８】
リーダー部にリーダーコードが含まれる場合、リーダー部の次に、データ部が配置される。
【００３９】
データ部は、３２ビットで構成され、１６ビットのカスタムコードと１６ビットのコマンドコードとを含む。カスタムコードは、リモコン信号を送信するリモートコントローラを用いて操作する電子機器の製造者や機種などに基づいて予め設定されるコードである。コマンドコードは、所定の処理に対応するコードである。
【００４０】
リモコン信号を受信した電子機器は、受信したリモコン信号のリーダー部にリーダーコードが含まれている場合、データ部に含まれているカスタムコードが自機に設定されたコードと一致するか否かを判定し、一致する場合には、コマンドコードに対応する処理を行う。
【００４１】
データ部の次には、ストップビット部が配置される。
【００４２】
ストップビット部は、１ビットで構成され、ストップビットを含む。ストップビットは、リモコン信号の終了を示す。
【００４３】
リーダー部にリピートコードが含まれる場合、リーダー部の次に、ストップビット部が配置される。
【００４４】
リモコン信号を受信した電子機器は、受信したリモコン信号のリーダー部にリピートコードが含まれている場合、そのリモコン信号を受信する前に最後に受信した、リーダー部にリーダーコードが含まれるリモコン信号のデータ部に含まれるコマンドコードに対応する処理を行う。
【００４５】
ここで、具体的な、リモートコントローラからのリモコン信号の送信例について説明する。
【００４６】
例えば、使用者が、リモートコントローラに設けられた右方向の矢印キーを１回押下したとする。この場合、リモートコントローラからは、リーダーコードを含むリーダー部と、カスタムコードおよび右方向の矢印キーの押下に対応するコマンドコードを含むデータ部と、ストップビット部とからなるリモコン信号が送信される。
【００４７】
また、例えば、リモートコントローラに設けられた右方向の矢印キーを所定時間、押下し続けたとする。この場合、リモートコントローラからは、リーダーコードを含むリーダー部と、カスタムコードおよび右方向の矢印キーの押下に対応するコマンドコードを含むデータ部と、ストップビット部とからなるリモコン信号が送信される。その後、右方向の矢印キーの押下が解除されるまで、リモートコントローラからは、リピートコードを含むリーダー部と、ストップビット部とからなるリモコン信号が、一定の時間間隔で送信が繰り返される。
【００４８】
リモコン信号の送信が繰り返される間隔は、例えば、１０８ｍｓである。したがって、例えば、使用者が、リモートコントローラに設けられた右方向の矢印キーを１．０８秒間押下し続けるとリピートコードを含むリーダー部と、ストップビット部とからなるリモコン信号が１０回送信される。
【００４９】
上述したように、リモコン信号を受信した電子機器は、受信したリモコン信号のリーダー部にリピートコードが含まれている場合、そのリモコン信号を受信する前に最後に受信した、リーダー部にリーダーコードが含まれるリモコン信号のデータ部に含まれるコマンドコードに対応する処理を行う。
【００５０】
なお、リーダー部にリーダーコードが含まれるか、リピートコードが含まれるかは、キャリア信号が重畳された期間の後の、キャリア信号が重畳されていない期間の長さに基づいて判定することができる。
【００５１】
具体的には、リーダー部にリーダーコードが含まれる場合、キャリア信号が重畳された期間が約９ｍｓ続いた後、キャリア信号が重畳されていない期間が約４．５ｍｓ続く。一方、リーダー部にリピートコードが含まれる場合、キャリア信号が重畳された期間が約９ｍｓ続いた後、キャリア信号が重畳されていない期間が約２．２５ｍｓ続く。したがって、キャリア信号が重畳された期間の後の、キャリア信号が重畳されていない期間の長さに基づいて判定することができる。
【００５２】
また、リモコン信号では、送信情報が０であるか、１であるかを、キャリア信号が重畳された期間の後の、キャリア信号が重畳されていない期間の長さに基づいて判定することができる。
【００５３】
具体的には、送信情報が０である場合、キャリア信号が重畳された期間が約０．５６ｍｓ続いた後、キャリア信号が重畳されていない期間が約０．５６ｍｓ続く。一方、送信情報が１である場合、キャリア信号が重畳された期間が約０．５６ｍｓ続いた後、キャリア信号が重畳されていない期間が約１．６９ｍｓ続く。したがって、キャリア信号が重畳された期間の後の、キャリア信号が重畳されていない期間の長さに基づいて、送信情報が０であるか、１であるかを判定することができる。
【００５４】
図３は、リモコン信号に重畳されるキャリア信号の一例を示す図である。
【００５５】
図３に示すように、キャリア信号としては、所定の周波数の矩形波が用いられる。また、キャリア信号としては、矩形波だけでなく、正弦波などを用いてもよい。また、キャリア信号の周波数は、例えば、３８ｋＨｚである。
【００５６】
図４は、伝送システム１において、トランスミッタ装置１０からレシーバ装置２０に向かって送信されるリモコン信号に関連する構成を抜粋した図である。なお、図４において、図１と同様の構成については同じ符号を付し、説明を省略する。
【００５７】
トランスミッタ装置１０は、受信部１２をさらに有する。
【００５８】
受信部１２は、リモートコントローラ４から、例えば、赤外光を用いて送信されるリモコン信号を受信し、受信したリモコン信号をトランスミッタＩＣ１１に出力する。
【００５９】
トランスミッタＩＣ１１は、受信部１２から出力されたリモコン信号を、キャリア信号周波数よりも十分に高い（例えば、４０倍程度）、トランスミッタＩＣ１１の内部のクロック周波数でサンプリングし、２値（Ｈｉｇｈレベル、Ｌｏｗレベル）からなる信号に変換する。そして、トランスミッタＩＣ１１は、サンプリング後の信号をレシーバＩＣ２１に送信する。
【００６０】
レシーバＩＣ２１は、トランスミッタＩＣ１１から送信されてきた信号を受信し、その受信した信号（受信信号）をトランスミッタＩＣ１１と同じクロック周波数でリサンプリングする。こうすることで、受信部１２で受信されたリモコン信号が復元される。レシーバＩＣ２１は、リモコン信号を信号処理部２２ａに出力する。
【００６１】
つまり、トランスミッタＩＣ１１は、受信部１２から出力されたリモコン信号を、キャリア信号周波数よりも十分に高い（例えば、４０倍程度）、トランスミッタＩＣ１１の内部クロックでサンプリングするので、レシーバＩＣ２１は、リモコン信号のキャリアが含まれる場合もリモコン信号のキャリアを復元する。
【００６２】
信号処理部２２ａは、レシーバＩＣ２１から入力されたリモコン信号をデコードし、リモコン信号に含まれるコマンドコードなどに応じた処理を行う。
【００６３】
ここで、トランスミッタ装置１０の受信部１２としては、キャリア信号を除去するためのフィルタを備えるものと、そのようなフィルタを備えないものとがある。
【００６４】
図５は、キャリア信号を除去するためのフィルタを備える受信部１２ａの構成を示す図である。
【００６５】
図５に示す受信部１２ａは、受光部１２１と、信号レベル調整部１２２と、フィルタ部１２３と、トランジスタなどからなる出力部１２６とを備える。
【００６６】
受光部１２１は、リモートコントローラ４から出力された赤外光を受光し、受光信号（リモコン信号）を信号レベル調整部１２２に出力する。
【００６７】
信号レベル調整部１２２は、受光部１２１の出力信号のレベル調整を行い、フィルタ部１２３に出力する。
【００６８】
フィルタ部１２３は、バンドパスフィルタ回路１２４と、波形整形回路１２５とを備える。
【００６９】
バンドパスフィルタ回路１２４は、信号レベル調整部１２２の出力信号のうち、キャリア信号成分を通過させる。
【００７０】
波形整形回路１２５は、バンドパスフィルタ回路１２４の出力信号を時間積分し、得られた信号の波形を成形して出力する。つまり、波形整形回路１２５の出力は、キャリア信号成分を含む期間では、信号レベルはＨｉｇｈの信号となり、キャリア信号成分を含まない期間では、信号レベルはＬｏｗの信号となる。
【００７１】
このように、バンドパスフィルタ回路１２４でキャリア信号成分を通過させた後に時間積分することで、キャリア信号成分を除去することができる。
【００７２】
出力部１２６は、ベースには波形整形回路１２５の出力が接続され、エミッタは接地され、コレクタには抵抗Ｒを介して電位ＶＤＤの電源端子が接続されるとともに、トランスミッタＩＣ１１が接続されているトランジスタ１２７を備える。トランジスタ１２７は、波形整形回路１２５の出力を反転して出力する。したがって、トランスミッタＩＣ１１にはキャリア信号が除去されたリモコン信号の反転信号が入力される。
【００７３】
図６は、キャリア信号を除去するためのフィルタを備えない受信部１２ｂの構成を示す図である。
【００７４】
図６に示す受信部１２ｂにおいては、フィルタ部１２３が削除され、信号レベル調整部１２２の出力がトランジスタ１２７のベースに接続されている。このように、受信部１２ｂにはキャリア信号を除去するためのフィルタ部１２３が備えられていないため、トランジスタ１２７からは、キャリア信号が重畳されたリモコン信号の反転信号が、トランスミッタＩＣ１１に出力される。
【００７５】
上述したように、トランスミッタ装置１０の受信部１２として、図５に示す受信部１２ａが備えられるか、図６に示す受信部１２ｂが備えられるかは、トランスミッタ装置１０の製造業者ごと、また、機種ごとに異なる。
【００７６】
ここで、トランスミッタ装置１０からキャリア信号が重畳されたリモコン信号が送信されてきた場合に、電子機器２側でキャリア信号を除去できないと、キャリア信号が重畳されたままのリモコン信号が信号処理部２２ａに入力される。キャリア信号が重畳されたままでは、信号処理部２２ａは、そのリモコン信号をデコードできず、リモコン信号に応じた処理を行なえない。
【００７７】
そこで、キャリア信号を除去するためのフィルタを電子機器２側に設けることが考えられる。しかし、この場合、キャリア信号を除去したリモコン信号を送信するトランスミッタ装置１０が電子機器２に接続されると、トランスミッタ装置１０から受信した、キャリア信号が重畳されていないリモコン信号をフィルタに通すことで、リモコン信号の波形が消失し、リモコン信号に応じた処理を行なえなくなる。
【００７８】
図７は、本発明に係るレシーバ装置２０の構成を示すブロック図である。なお、図７において、図４と同様の構成については同じ符号を付し、説明を省略する。
【００７９】
図７に示すレシーバ装置２０は、レシーバＩＣ２１と、波形整形回路２００とを有する。レシーバＩＣ２１は、受信部の一例である。
【００８０】
波形整形回路２００は、レシーバＩＣ２０と信号処理部２２ａとの間に設けられており、レシーバＩＣ２０が受信したリモコン信号の波形整形を行って、信号処理部２２ａに出力する。
【００８１】
波形整形回路２００は、反転回路２０１と、キャリア信号除去回路２０２と、ＯＲ回路２０３とを有する。なお、波形成形回路２００の回路構成例を図８に示す。キャリア信号除去回路２０２は、除去部の一例であり、ＯＲ回路２０３は演算部の一例である。
【００８２】
反転回路２０１は、レシーバＩＣ２１の出力信号を反転して出力する。なお、図５，６において説明したように、トランスミッタ装置１０からは、リモコン信号が反転された信号が送信されてくる。したがって、反転回路２０１がレシーバＩＣ２１の出力信号を反転させることで、反転回路２０１の出力信号は、リモートコントローラ４から出力されたリモコン信号と同様に、ハイアクティブの信号となる。なお、反転回路２０１は必ずしも必要ではなく、例えば、レシーバＩＣ２１の出力信号をローアクティブの信号として処理する回路構成としても良い。
【００８３】
反転回路２０１は、例えば、図８に示すように、トランジスタ２０１ａなどで構成される。トランジスタ２０１ａのベースにはレシーバＩＣ２１が接続され、エミッタはＧＮＤに接地され、コレクタには抵抗Ｒを介して電源端子が接続される。なお、反転回路２０１は、反転ロジック回路で構成することもできる。
【００８４】
反転回路２０１の出力信号は分岐され、一方はキャリア信号除去回路２０２に入力され、他方はＯＲ回路に入力される。
【００８５】
キャリア信号除去回路２０２は、反転回路２０１の出力信号からキャリア信号に相当する信号成分を除去してＯＲ回路２０３に出力する。
【００８６】
キャリア信号除去回路２０２は、例えば、図８に示すように、リトリガ単安定マルチバイブレータ２０２ａで構成される。
【００８７】
リトリガ単安定マルチバイブレータ２０２ａは、反転回路２０１の出力信号の立ち上がりをトリガとして、所定のパルス幅の信号を出力する。ここで、リトリガ単安定マルチバイブレータ２０２ａから出力される信号のパルス幅は、キャリア信号の波長よりも長い。また、リトリガ単安定マルチバイブレータ２０２ａから出力される信号のパルス幅は、図２に示すリモコン信号において、各情報を示す期間の幅よりは短い。リトリガ単安定マルチバイブレータ２０２ａから出力される信号のパルス幅が、各情報を示す期間の幅よりも長いと、各情報を判別することができなくなるからである。
【００８８】
なお、リトリガ単安定マルチバイブレータ２０２ａの出力信号のパルス幅は、リトリガ単安定マルチバイブレータ２０２ａを構成する抵抗の抵抗値やコンデンサの容量値に応じて調整することができる。リトリガ単安定マルチバイブレータ２０２ａの出力信号のパルス幅を調整することで、キャリア信号の周波数の違いや、環境温度などに起因するキャリア信号の周波数のばらつきなどを吸収することができる。なお、リトリガ単安定マルチバイブレータ２０２ａの構成は当業者によく知られているため、説明を省略する。
【００８９】
ＯＲ回路２０３は、キャリア信号除去回路２０２の出力信号と反転回路２０１の出力信号との論理和を演算し、演算結果を信号処理部２２ａに出力する。
【００９０】
次に、波形成形回路２００の動作について説明する。
【００９１】
図９は、図８に示すＡ点における信号波形（反転回路２０１の出力信号の波形、リトリガ単安定マルチバイブレータ２０２ａの入力信号の波形）、Ｂ点における信号波形（リトリガ単安定マルチバイブレータ２０２ａの出力信号の波形）、および、Ｃ点における信号波形（ＯＲ回路２０３の出力信号の波形）の一例を示す図である。
【００９２】
なお、以下では、リトリガ単安定マルチバイブレータ２０２ａは、反転回路２０１の出力信号の立ち上がりをトリガとして、キャリア信号の４パルス分（約１００μｓ）のパルス幅の信号を出力するものとする。また、図９においては、トランスミッタ装置１０からキャリア信号が重畳されたリモコン信号が送信されたものとする。
【００９３】
トランスミッタ装置１０からキャリア信号が重畳されたリモコン信号が送信されているため、反転回路２０１の出力信号であるＡ点における出力信号にも、キャリア信号が重畳されている。
【００９４】
リトリガ単安定マルチバイブレータ２０２ａは、反転回路２０１の出力信号の立ち上がりをトリガとして、キャリア信号の４パルス分（約１００μｓ）のパルス幅のパルス信号を出力する。したがって、リトリガ単安定マルチバイブレータ２０２ａの出力信号であるＢ点における信号は、反転回路２０１の出力信号の最初の立ち上がりに応じて、Ｈｉｇｈレベルになる。
【００９５】
反転回路２０１の出力信号の最初の立ち上がりに応じて、リトリガ単安定マルチバイブレータ２０２ａがパルス信号を出力する所定期間（約１００μｓ）内でも、反転回路２０１の出力信号の立ち上がりが起こっているので、リトリガ単安定マルチバイブレータ２０２ａの出力信号（Ｂ点における信号）は、Ｈｉｇｈレベルに維持される。
【００９６】
反転回路２０１の出力信号がＬｏｗレベルに固定されると、その後、約１００μｓ経過後に、リトリガ単安定マルチバイブレータ２０２ａの出力信号（Ｂ点における信号）は、Ｌｏｗレベルになる。
【００９７】
したがって、図８に示すように、リトリガ単安定マルチバイブレータ２０２ａの出力信号の波形は、Ｈｉｇｈレベル期間に重畳されたキャリア信号が除去されたリモコン信号の波形と略同等となる。このように、リモコン信号にキャリア信号が重畳されている場合には、そのリモコン信号をリトリガ単安定マルチバイブレータ２０２ａに入力することで、キャリア信号が除去された信号を得ることができる。
【００９８】
ＯＲ回路２０３は、反転回路２０１の出力信号（Ａ点における信号）とリトリガ単安定マルチバイブレータ２０２ａの出力信号（Ｂ点における信号）との論理和を演算し、演算結果を信号処理部２２ａに出力する。
【００９９】
上述したように、Ａ点における信号の立ち上がり後、Ａ点における信号がＬｏｗレベルに固定されてから約１００μｓ経過するまでは、Ｂ点における信号はＨｉｇｈレベルであるため、その間、Ｃ点における信号はＨｉｇｈレベルとなる。Ａ点における信号がＬｏｗレベルに固定されてから約１００μｓ経過後は、Ａ点における信号およびＢ点における信号はＬｏｗレベルであるため、Ｃ点における信号はＬｏｗレベルとなる。
【０１００】
したがって、図９に示すように、キャリア信号が除去されたリモコン信号の波形と略同等の波形の信号が、信号処理部２２ａに入力される。そのため、信号処理部２２ａは、入力された信号をデコードし、リモコン信号に応じた処理を行うことができる。
【０１０１】
図１０は、図８に示すＡ点、Ｂ点、Ｃ点における信号波形の他の一例を示す図である。なお、図１０においては、トランスミッタ装置１０からキャリア信号が除去されたリモコン信号が送信されたものとする。
【０１０２】
トランスミッタ装置１０からキャリア信号が除去されたリモコン信号が送信されているため、反転回路２０１の出力信号であるＡ点における出力信号は、Ｈｉｇｈレベル期間に重畳されたキャリア信号が除去されたリモコン信号と同等の波形となる。
【０１０３】
リトリガ単安定マルチバイブレータ２０２ａは、反転回路２０１の出力信号の立ち上がりをトリガとして、キャリア信号の４パルス分（約１００μｓ）のパルス幅のパルス信号を出力する。したがって、Ｂ点における信号は、反転回路２０１の出力信号の最初の立ち上がりに応じて、Ｈｉｇｈレベルになる。
【０１０４】
ここで、Ａ点における信号はＨｉｇｈレベルに維持されているので、リトリガ単安定マルチバイブレータ２０２ａの出力信号（Ｂ点における信号）は、反転回路２０１の出力信号の最初の立ち上がり後、約１００μｓ経過後にＬｏｗレベルとなる。
【０１０５】
ＯＲ回路２０３は、反転回路２０１の出力信号（Ａ点における信号）とリトリガ単安定マルチバイブレータ２０２ａの出力信号（Ｂ点における信号）との論理和を演算し、演算結果を信号処理部２２ａに出力する。
【０１０６】
上述したように、Ａ点における信号は、リモコン信号のＨｉｇｈレベル期間に相当する期間は、Ｈｉｇｈレベルとなる。
【０１０７】
したがって、図１０に示すように、キャリア信号が除去されたリモコン信号の波形と同等の波形の信号が、信号処理部２２ａに入力される。そのため、信号処理部２２ａは、入力された信号をデコードし、リモコン信号に応じた処理を行うことができる。
【０１０８】
このように本実施形態によれば、レシーバ装置２０は、外部装置であるトランスミッタ装置１０と接続され、トランスミッタ装置１０からリモコン信号を受信するレシーバＩＣ２１と、レシーバＩＣ２１の受信信号からキャリア信号に相当する信号成分を除去するキャリア信号除去回路２０２と、レシーバＩＣ２１の受信信号と、キャリア信号除去回路２０２がキャリア信号に相当する信号成分を除去した信号との論理和を演算し、演算結果を信号処理部２２ａに出力するＯＲ回路２０３とを有する。
【０１０９】
そのため、トランスミッタ装置１０から送信されてきたリモコン信号にキャリア信号が重畳されている場合にも、キャリア信号が除去されている場合にも、レシーバＩＣ２１およびキャリア信号除去回路２０２の出力の一方は、キャリア信号が除去されたリモコン信号と略同等の信号となる。したがって、レシーバＩＣ２１の出力信号およびキャリア信号除去回路２０２の出力信号の論理和を演算することで、キャリア信号が除去されたリモコン信号を得ることができる。その結果、リモコン信号に応じた処理を行なうことができなくなる可能性を低減することができる。
【０１１０】
なお、本実施形態においては、赤外光を用いてリモコン信号が送信される例を用いて説明したが、これに限られるものではなく、例えば、電波などを用いてリモコン信号が送信されてもよい。
【０１１１】
また、本実施形態においては、キャリア信号除去回路２０２としてリトリガ単安定マルチバイブレータ２０２ａを用いて説明したが、これに限られるものではなく、例えば、フィルタ部１２３を用いても良い。ただし、例えば、リモコン信号に用いられるキャリア信号の周波数が変更される場合には、フィルタ部１２３を用いるよりも、リトリガ単安定マルチバイブレータ２０２ａを用いる方が、対応が容易である。これは、リモコン信号に用いられるキャリア信号の周波数に応じてリトリガ単安定マルチバイブレータ２０２ａから出力されるパルス幅を変更することで容易に対応することができるからである。
【符号の説明】
【０１１２】
１    伝送システム
２    電子機器
３  ＬＡＮケーブル
４    リモートコントローラ
１０    トランスミッタ装置
１１    トランスミッタＩＣ
１２，１２ａ，１２ｂ    受信部
１２１    受光部
１２２    信号レベル調整部
１２３    フィルタ部
１２４    バンドパスフィルタ回路
１２５    波形整形回路
１２６  出力部
１２７    トランジスタ
２０    レシーバ装置
２１    レシーバＩＣ
２２    メインＩＣ
２２ａ    信号処理部
２００    波形整形回路
２０１    反転回路
２０１ａ    トランジスタ
２０２    キャリア信号除去回路
２０２ａ    リトリガ単安定マルチバイブレータ
２０３    ＯＲ回路
【図１】
2015126324.tif 000003
【図３】
2015126324.tif 000004
【図４】
2015126324.tif 000005
【図５】
2015126324.tif 000006
【図６】
2015126324.tif 000007
【図７】
2015126324.tif 000008
【図８】
2015126324.tif 000009
【図９】
2015126324.tif 000010
【図１０】
2015126324.tif 000011
【図２】
2015126324.tif 000012